(57)【要約】【課題】  テナントなどのユーザ毎に、当該ユーザが入退室する扉を制御する電気錠および端末コントローラに対して、ユーザ毎に準備する操作端末で制御・設定を可能とする出入管理装置を得る。【解決手段】  センタ装置１１と、このセンタ装置とネットワークによりそれぞれ接続される複数の個人認証端末１６、複数の電気錠１５および複数の端末コントローラ１４等から構成されたものにおいて、センタ装置に接続され、テナントなどを一つの単位としてセンタ装置よりグループ化設定するとともに、当該グループに関連付けられる複数のユーザ操作端末１２を備え、当該グループに関連付けられたユーザ操作端末は、当該グループ内の個人認証端末に対して、施解錠制御、動作モードの設定、個人毎の通行可否の設定操作などを操作可能とする。【選択図】    図１
2006039891.tif 000002
【特許請求の範囲】
【請求項１】
センタ装置と、このセンタ装置とネットワークによりそれぞれ接続される複数の個人認証端末、複数の電気錠および複数の端末コントローラ等から構成された出入管理装置において、
前記センタ装置に接続され、テナントなどを一つの単位としてセンタ装置よりグループ化設定するとともに、当該グループに関連付けられる複数のユーザ操作端末を備え、
前記当該グループに関連付けられたユーザ操作端末は、前記当該グループ内の前記個人認証端末に対して、施解錠制御、動作モードの設定、個人毎の通行可否の設定操作などを操作可能とすることを特徴とする出入管理装置。
【請求項２】
ユーザ操作端末は、当該グループ内の個人認証端末で使用可能なＩＤカードを発行することを特徴とする請求項１記載の出入管理装置。
【請求項３】
ユーザ操作端末は、設定した個人端末での認証結果をセンタ装置およびユーザ操作端末に送信することを特徴とする請求項１又は請求項２記載の出入管理装置。
【発明の詳細な説明】
【技術分野】
【０００１】
この発明は、人や物の出入りを管理する出入管理装置に関するものである。
【背景技術】
【０００２】
近年、ビルや建物の扉にカード読取装置や電気錠を備え、カードの識別番号によりそのカードを所持する人や物が通行して良いか判断し扉の電気錠を制御するような出入管理装置（セキュリティシステム）が普及してきている。従来の出入管理装置は、センタ装置において、オペレータの操作権限が設定でき、テナントの専用部やホテルの共用部などに対して、センタ装置から施解錠を行うかどうかが管理できる（例えば、非特許文献１参照）。また、他の従来技術として、各個人に対する通行可能な区域の設定変更を容易且つ正確に行い、入力作業の大幅な省力化、信頼性の向上を図った出入管理装置がある（例えば、特許文献１参照）
【０００３】
【非特許文献１】「統合型セキュリティシステムｅ-ＳＧ  ＳＳＣＴ１Ｂ１８４」、松下電工株式会社、平成１６年３月、P.１０
【特許文献１】特開２００４−１３４８４号公報
【発明の開示】
【発明が解決しようとする課題】
【０００４】
従来の出入管理装置では、いずれも、個人認証端末に対する操作は、センタ装置からの操作のみとなっており、その操作権限レベルはテナントなどのユーザには全く開放がなされていない。このため、テナントなどのレベルでは、個人認証端末の操作を行うことができない。例えば、一時的にテナント固有の個人認証端末の設定を変更して、一時的に扉を解錠制御する場合も、一々操作権限のあるセンタ装置より操作しなければならない不都合がある。すなわち、ユーザ固有の扉にも関わらず、ビル共有のセンタ装置からしか操作できず、不便であった。
また、個人の通行などもセンタ装置で一括管理されていることが多く、テナント毎の通行に関して、出退勤管理を行う／行わないなどを設定する場合、センタ装置でテナント別に当該機能を作成することになり、割高になるばかりでなく、テナント固有の特殊機能の要求に応えることが困難であった。これは、テナント単位毎の通行管理においても同様である。
【０００５】
この発明は、上述のような課題を解決するためになされたもので、テナントなどのユーザ毎に、当該ユーザが入退室する扉を制御する電気錠および端末コントローラに対して、ユーザ毎に準備する操作端末で制御・設定を可能とする出入管理装置を提供するものである。
【課題を解決するための手段】
【０００６】
この発明に係る出入管理装置においては、センタ装置と、このセンタ装置とネットワークによりそれぞれ接続される複数の個人認証端末、複数の電気錠および複数の端末コントローラ等から構成されたものにおいて、センタ装置に接続され、テナントなどを一つの単位としてセンタ装置よりグループ化設定するとともに、当該グループに関連付けられる複数のユーザ操作端末を備え、当該グループに関連付けられたユーザ操作端末は、当該グループ内の個人認証端末に対して、施解錠制御、動作モードの設定、個人毎の通行可否の設定操作などを操作可能とするようにしたものである。
【発明の効果】
【０００７】
この発明によれば、テナントなどのユーザの操作により、当該ユーザだけが使用する扉のセキュリティレベルをユーザ固有に設定することができ、ユーザが使用する扉の通行情報をユーザ操作端末で編集・操作できる。また、出退勤管理などユーザ固有の機能を容易に実現することができる。
【発明を実施するための最良の形態】
【０００８】
実施の形態１．
図１はこの発明の実施の形態１における出入管理装置のビル全体に対しての構成を示すシステム構成図、図２はこの発明の実施の形態１における出入管理装置の構成の一部を詳しく説明するための詳細構成図、図３は出入管理装置の各端末名とＩＰアドレスとの関係の一例を示すテーブル、図４はセンタ装置で設定するユーザ操作端末と端末コントローラとの関連の一例を示すテーブルである。
【０００９】
図１において、出入管理装置は、主として、センタ装置１１と、センタ装置１１に接続され、テナントなどを一つの単位としてセンタ装置１１よりグループ化設定するとともに、当該グループに関連付けられる複数のユーザ操作端末１２と、ネットワーク１３と、複数の端末コントローラ１４と、複数の電気錠１５と、カードリーダなどの複数の個人認証端末１６とから構成されている。複数の端末コントローラ１４、複数の電気錠１５および複数の個人認証端末１６は、ビルの各階毎にそれぞれ設置されている。
【００１０】
上記ユーザ操作端末１２は、上記当該グループ内の個人認証端末１６に対して、施解錠制御、動作モードの設定や、個人毎の通行可否の設定操作などを、当該グループに関連付けたユーザ操作端末より操作可能としている。従って、この発明による出入管理装置は、次のようなことが行えるものである。当該グループ内の個人認証端末で使用可能なＩＤカードなどを、ユーザ操作端末１２で発行できる。また、テナント独自の権限・責任により、テナントが属する部屋などへの出入りに関して、テナント独自のセキュリティレベルを設定することができる。これが設定できるのは、テナントに関係のある個人認証端末だけであり、ビル全体のセキュリティレベルに影響を与えないようにしている。また、ユーザ操作端末１２で設定した個人認証端末１６での認証結果（通行）は、センタ装置１１およびユーザ操作端末に送信する。また、テナント毎に当該テナントの通行（出勤／退勤や当該部屋の在室状況など）を管理することができる。すなわち、出退勤を管理するテナントもあれば、管理しないテナントもあるので、テナント毎に独自のサービス機能を提供することが容易となる。上記のような制御や設定などの操作指示／応答は、ユーザ操作端末１２とセンタ装置１１との間で通信により行う。また、操作の履歴をセンタ装置１１で記録すると、どのユーザ操作端末でどのような操作を行ったかの記録を取ることができる。
【００１１】
図２に詳細を示すように、センタ装置１１以外に、例えば、ユーザ操作端末１２ａを使用して、２階と３階に設置した端末コントローラ１４を介して、当該階床の電気錠１５を制御することや、個人認証端末１６で使用可能なＩＤカードを発行可能な構成とすることができる。
先ず、ネットワーク１３に接続するユーザ操作端末１２を登録する。例えば、登録するのはＩＰアドレスなどで良く、図３に示すように、各端末のＩＰアドレスをセンタ装置１１で登録する。当該ＩＰアドレスは、当該端末を識別するための識別番号である。センタ装置１１では、登録したＩＰアドレスを持つ装置・機器とだけ通信が可能なように設定する。
【００１２】
図４は、センタ装置１１で設定するユーザ操作端末１２と、当該ユーザ操作端末にて操作可能な端末コントローラ１４との関連を示すテーブルである。説明のため名称で記述しているが、センタ装置１１内部では、上記ＩＰアドレスなどで記憶設定するものである。
例えば、ユーザ操作端末＃１では、２階および３階に設置した端末コントローラ１４とのみ通信できる設定を意味する。また、同様に、ユーザ操作端末＃２では、３階〜８階に設置した端末コントローラ１４とのみ通信できる設定となる。このユーザ操作端末＃２では、２階および３階に設置した端末コントローラ１４と通信できないことも意味している。このようにセンタ装置１１で、各端末をグループ化することにより、例えば、テナント毎などのように通信可能な端末群を任意に設定することができる。なお、センタ装置１１では、従来例と同様に、全ての端末と通信できるように構成されていることは言うまでもない。
【００１３】
ユーザ操作端末１２で端末コントローラ１４に対して設定操作しようとする場合は、先ずセンタ装置１１に当該要求を行う。センタ装置１１では、図４に示すテーブルを参照し、当該ユーザ操作端末１２が当該端末コントローラ１４に操作可能であるか否かを判断し、可能であれば当該要求を端末コントローラ１４に対して実行する。操作可能でなければ、ユーザ操作端末１２に対して、操作不可などのメッセージを送信する。
これにより、ユーザ操作端末１２と通信可能な端末を限定できるため、当該端末コントローラ１４に対して、それに接続する個人認証端末１６で使用可能なＩＤカードを当該ユーザ操作端末１２において、登録操作も可能となる。また、端末コントローラ１４に対して操作可能なユーザ操作端末１２が限定できるため、当該端末コントローラ１４の動作モード（常時施錠又は常時解錠など）なども、ユーザ操作端末１２より設定操作が可能となる。
【００１４】
一方、個人認証端末１６での操作により発生する通行情報は、センタ装置１１に送信するとともに、図４に示すような当該端末コントローラ１４に関連付けたユーザ操作端末１２にも送信する。これにより、例えば、テナント毎に、当該テナントに関連する電気錠１５の動作（入室や退室など）、つまり、通行情報を把握することができ、例えば出退勤管理をテナント単位で、そのテナント独自に管理することができる。
また、ユーザ操作端末１２での操作は、センタ装置１１経由で行うため、センタ装置１１ではどのユーザ操作端末１２でどのような操作を行ったかを把握することができる。
【００１５】
実施の形態２．
図５はこの発明の実施の形態２における出入管理装置のセンタ装置より設定記憶されるユーザ操作端末毎に操作可能な端末コントローラの一例を示すテーブル、図６はセンタ装置より設定記憶される端末コントローラ毎に操作可能なユーザ操作端末の一例を示すテーブルである。
上記実施の形態１では、ユーザ操作端末１２での操作をセンタ装置１１経由で行う方式について説明したが、この実施の形態２はセンタ装置１１を経由せず、ユーザ操作端末１２と端末コントローラ１４との間で直接通信により行う構成としたものである。
なお、操作可能なユーザ操作端末１２の登録と、当該ユーザ操作端末で設定操作可能な端末コントローラ１４との関連付け操作は、上記実施の形態１と同様にセンタ装置１１で実施する。
当該関連データを図５に示すように、ユーザ操作端末１２毎に、操作可能な端末コントローラ１４をセンタ装置１１より設定記憶（ダウンロード）する。この場合、ユーザ操作端末１２では、操作可能な端末コントローラ１４のみ通信可能としておく。
或いは図６に示すように、端末コントローラ１４毎に、操作可能なユーザ操作端末１２をセンタ装置１１より設定記憶（ダウンロード）するようにしても良い。この場合、端末コントローラ１４では、設定操作可能なユーザ操作端末１２のみ通信可能としておく。
【００１６】
上記のように、ユーザ操作端末とそれが操作可能な端末コントローラ間で直接通信を行えば、センタ装置がダウンしていた場合でも、ユーザ操作端末より端末コントローラ経由で、施解錠操作などを実行することができる。
【００１７】
実施の形態３．
ユーザ操作端末１２と、センタ装置１１間又は端末コントローラ１４間の通信において、暗号化を行った通信を行っても良い。これは、ユーザ操作端末１２に固有な暗号／鍵をセンタ装置１１より設定し、この暗号／鍵をセンタ装置１１又は当該ユーザ操作端末１２が操作可能な端末コントローラ１４に設定記憶させ、ユーザ操作端末１２からの暗号化通信を当該暗号／鍵により解読する。このことにより、他のユーザ操作端末１２からは誤って通信ができた場合も、その通信内容を解読することはできず、セキュリティ性が高くなる。
【００１８】
以上の説明では、各階に端末コントローラなどが一つの場合について説明したが、複数の部屋があり、複数の端末コントローラなどが存在しても同様の設定を行えば良い。また、ユーザ操作端末もテナントなどのグループ内に一つの場合について説明したが、これも複数台あっても構わない。また、設定する端末コントローラは同じ階や連続した階になくても良いことは言うまでもない。
【図面の簡単な説明】
【００１９】
【図１】この発明の実施の形態１における出入管理装置のビル全体に対しての構成を示すシステム構成図である。
【図２】この発明の実施の形態１における出入管理装置の構成の一部を詳しく説明するための詳細構成図である。
【図３】出入管理装置の各端末名とＩＰアドレスとの関係の一例を示すテーブルである。
【図４】センタ装置で設定するユーザ操作端末と端末コントローラとの関連の一例を示すテーブルである。
【図５】この発明の実施の形態２における出入管理装置のセンタ装置より設定記憶されるユーザ操作端末毎に操作可能な端末コントローラの一例を示すテーブルである。
【図６】センタ装置より設定記憶される端末コントローラ毎に操作可能なユーザ操作端末の一例を示すテーブルである。
【符号の説明】
【００２０】
１１  センタ装置
１２  ユーザ操作端末
１３  ネットワーク
１４  端末コントロール
１５  電気錠
１６  個人認証端末
【図１】
2006039891.tif 000003
【図２】
2006039891.tif 000004
【図３】
2006039891.tif 000005
【図４】
2006039891.tif 000006
【図５】
2006039891.tif 000007
【図６】
2006039891.tif 000008